(57)【要約】      （修正有）【課題】接続部における防風防雨対策を高めた機能を有する、養生シートの接続構造を提供する。【解決手段】養生シートを重ね合わせる接続部の接続構造であって、下部シートの折り返し点を明確に定める見切りロープ３を設置し、下部シートを折り返し点で折り返し、折り返した下部シートの端部を下部シートの上面に密着させ、略接着、脱着自在テープ９により一体化して防雨対策とし、見切りロープの径の厚みで折り返した下部シートの上面が、結束部のハトメに対して勾配が付き、折り返した下部シートの上面に上部シートとなる養生シートを重ね合わせ、上部シートの端部に付するハトメ５と下部シートのハトメを紐等において結束する事により、接続部に勾配がつき、上部シートと下部シートの接続面においても防雨機能が高まる。【選択図】図２
0003232311.tif 000002
【実用新案登録請求の範囲】
【請求項１】
略養生シートを重ね合わせる接続部において、下部シートの防雨対策を目的とする折り返し点を明確に定める見切りロープを設置し、シートを折り返し、上部シートの端部を前記シートの上面に密着させ、略接着、脱着自在テープ等により一体化して防雨対策とし、見切りロープ径の厚みでシートの上面が結束部のハトメに対して勾配が付き、上部略養生シートを重ね合わせ、端部に付するハトメと下部シートのハトメを紐等において結束する事により、前記の接続部に勾配がついた事により、上部シートと下部シートの接続面においても防雨機能が高まる構成。
【請求項２】
略養生シートの下部における接続部を折り返し、上部略養生シートを前記折り返し部に重ね合わせ、上部シートと下部シートに付するハトメを紐等で結束し、土のう袋をアンカーとして接続部に設置し、防風防雨対策をした養生シートの接続部における形態。
【考案の詳細な説明】
【技術分野】
【０００１】
この発明は、養生シートにおける接続部に関するものである。
【背景技術】
【０００２】
従来の略養生シートでは、災害における屋根の雨漏り防止の養生シートが設置されているが、前記シート接続部においては２板の養生シートの端部を重ね合わせている。しかしながら紐等の結束力が無く、防雨対策においては土袋等の設置にてこれを実施しているため、強風等のシート破損により、雨漏りの原因となっている。
【考案の概要】
【考案が解決しようとする課題】
【０００３】
前記、記載の略養生シート接続においての防雨対策に欠点があるが、本発明は接続部における防雨対策を高めた機能を有する養生シートを提供するものである。
【課題を解決するための手段】
【０００４】
略養生シートにおいて、接続部の防雨対策を目的とする折り返し点を、明確に定める見切りロープ３を設置し、シートを折り返す事により防雨対策とし、見切りロープ３における径の厚みでシートの上面が、接続部のハトメ４に対し勾配が付き、これにより雨漏り防止機能を有し、前記養生シートに接続する略養生シートを重ね合わせ、折り返した端部のハトメ４を紐で結束して接続し、さらに土のう袋８を接続部に設置する事により、防雨対策の向上を図る事が出来る。
【考案の効果】
【０００５】
前記養生シートの下部に位置する先端部を見切りロープ３を折り返し点とし折り返す事により接続部における防雨機能を高め、上部養生シートを重ね合わせ、上部シートのハトメ５と下部のシートに付するハトメ４を紐にて結束し、接続部を２重構造とし、土のう袋８をアンカーとして接続部に設置する事により防風機能が発揮できる。これにより従来の養生シートにおいて、接続部におけるシートの重ね合わせと土のう袋の設置よりも、より防風、防雨対策が効果的にできる。
【図面の簡単な説明】
【０００６】
【図１】略養生シートにおける、下部シートの接続部に位置する見切りロープ設置及び、折り返し部分の状況図。
【図２】前記下部養生シートの接続部を見切りロープを折点として折り返し、略養生シートの上部シートを、前記シートに重ね合わせた土のう袋等の設置状況図。
【符号の説明】
【０００７】
１  略養生シートの下部
２  折り返し部
３  見切りロープ
４  下部シートハトメ部
５  上部シートハトメ部
６  略養生シートの上部
７  接続面
８  土のう袋
９  接着、脱着自在テープ
【図１】
0003232311.tif 000003
【図２】
0003232311.tif 000004
【手続補正書】
【提出日】令和3年3月25日(2021.3.25)
【手続補正１】
【補正対象書類名】実用新案登録請求の範囲
【補正対象項目名】全文
【補正方法】変更
【補正の内容】
【実用新案登録請求の範囲】
【請求項１】
養生シートを重ね合わせる接続部の接続構造であって、下部シートの防雨対策を目的とする折り返し点を明確に定める見切りロープを設置し、下部シートを折り返し点で折り返し、折り返した下部シートの端部を前記下部シートの上面に密着させ、略接着、脱着自在テープ等により一体化して防雨対策とし、前記見切りロープの径の厚みで折り返した下部シートの上面が、結束部のハトメに対して勾配が付き、折り返した下部シートの上面に上部シートとなる養生シートを重ね合わせ、上部シートの端部に付するハトメと下部シートのハトメを紐等において結束する事により、前記の接続部に勾配がついた事により、上部シートと下部シートの接続面においても防雨機能が高まる養生シートの接続構造。
【請求項２】
養生シートの下部シートにおける接続部を折り返し、上部シートとなる養生シートを前記折り返し部に重ね合わせ、上部シートと下部シートに付するハトメを紐等で結束し、土のう袋をアンカーとして接続部に設置し、防風防雨対策をした請求項１に記載の養生シートの接続構造。
【手続補正２】
【補正対象書類名】明細書
【補正対象項目名】全文
【補正方法】変更
【補正の内容】
【考案の詳細な説明】
【技術分野】
【０００１】
この発明は、養生シートにおける接続部に関するものである。
【背景技術】
【０００２】
従来の略養生シートでは、災害における屋根の雨漏り防止の養生シートが設置されているが、前記シート接続部においては２板の養生シートの端部を重ね合わせている。しかしながら紐等の結束力が無く、防雨対策においては土袋等の設置にてこれを実施しているため、強風等のシート破損により、雨漏りの原因となっている。
【考案の概要】
【考案が解決しようとする課題】
【０００３】
前記、記載の略養生シート接続においての防雨対策に欠点があるが、本発明は接続部における防雨対策を高めた機能を有する養生シートを提供するものである。
【課題を解決するための手段】
【０００４】
略養生シートにおいて、接続部の防雨対策を目的とする折り返し点を、明確に定める見切りロープ３を設置し、シートを折り返す事により防雨対策とし、見切りロープ３における径の厚みでシートの上面が、接続部のハトメ４に対し勾配が付き、これにより雨漏り防止機能を有し、前記養生シートに接続する略養生シートを重ね合わせ、折り返した端部のハトメ４を紐で結束して接続し、さらに土のう袋８を接続部に設置する事により、防雨対策の向上を図る事が出来る。
【考案の効果】
【０００５】
前記養生シートの下部に位置する先端部を見切りロープ３を折り返し点とし折り返す事により接続部における防雨機能を高め、上部養生シートを重ね合わせ、上部シートのハトメ５と下部のシートに付するハトメ４を紐にて結束し、接続部を２重構造とし、土のう袋８をアンカーとして接続部に設置する事により防風機能が発揮できる。これにより従来の養生シートにおいて、接続部におけるシートの重ね合わせと土のう袋の設置よりも、より防風、防雨対策が効果的にできる。
【図面の簡単な説明】
【０００６】
【図１】略養生シートにおける、下部シートの接続部に位置する見切りロープ設置及び、折り返し部分の状況図。
【図２】前記下部養生シートの接続部を見切りロープを折点として折り返し、略養生シートの上部シートを、前記シートに重ね合わせた土のう袋等の設置状況図。
【符号の説明】
【０００７】
１  略養生シートの下部
２  折り返し部
３  見切りロープ
４  下部シートハトメ部
５  上部シートハトメ部
６  略養生シートの上部
７  接続面
８  土のう袋
９  接着、脱着自在テープ、縫製